(57)【要約】【課題】スピーカユニットの固定に際して、過度のストレスを与えることなく、音の歪みが低減できるスピーカシステムを提供すること。【解決手段】スピーカユニット２１と、開口部１１ａ、２７を設けられた筐体部１０等と、開口部１１ａ、２７にスピーカユニット２１が配置され筐体部１０等に固定される際に、しりぞけあう磁力が働くように複数の磁力発生部（４ａ等、６ａ等）が配置された空間部で、スピーカユニット２１から音を外部に発する際の振動が空間部により調整されるようにスピーカユニット２１が筐体部１０等に固定されているスピーカシステム１等。【選択図】図１
2009177454.tif 000002
【特許請求の範囲】
【請求項１】
スピーカユニットと、
開口部を設けられた筐体部と、
前記開口部に前記スピーカユニットが配置され前記筐体部に固定される際に、前記スピーカユニットと前記筐体部との間に空間を有するように空間部が設けられた固定部と、を有し、
前記空間部には、しりぞけあう磁力が働くように複数の磁力発生部が配置されており、前記スピーカユニットから音を外部に発する際の振動が前記空間部により調整されるように前記スピーカユニットが前記筐体部に固定されていること、
を特徴とするスピーカシステム。
【請求項２】
前記スピーカユニットは、前記スピーカユニットから音を外部に発生する方向に設けられた音発生部と前記音発生部の外周部に設けられたフランジ部と前記音発生部と反対方向に設けられた背面部とを有し、
複数の前記磁力発生部のうち少なくとも１つの前記磁力発生部は、前記背面部に設けられたスピーカユニット背面側磁力発生配置部に配置され、複数の前記磁力発生部のうち少なくとも１つの前記磁力発生部は、前記筐体部の前記開口部に対応する位置であって、前記筐体部の内側に設けられた筐体側磁力発生配置部に配置されるようになっていることを特徴とする請求項１に記載のスピーカシステム。
【請求項３】
前記スピーカユニットは、前記スピーカユニットから音を外部に発生する方向に設けられた音発生部と、前記音発生部の外周部に設けられたフランジ部と、を有し、
複数の前記磁力発生部のうち少なくとも１つの前記磁力発生部は、前記フランジ部の近傍に配置されるように磁力発生配置部に配置され、複数の前記磁力発生部のうち少なくとも１つの前記磁力発生部は、前記開口部の近傍の前記筐体部側に配置されるように前記磁力発生配置部に配置されるようになっていることを特徴とする請求項１または請求項２に記載のスピーカシステム。
【請求項４】
前記筐体部は、前記スピーカユニットを有する筒状の内側筐体部と、前記内側筐体部を覆うように配置される筒状の外側筐体部と、を有しており、
前記スピーカユニットは、前記内側筐体部の長手方向における一方の端部側に配置され、前記内側筐体部の前記長手方向の他方の端部側には、前記スピーカユニットの音を前記外側筐体部に導出するための音導出開口部が形成され、
前記外側筐体部の長手方向の前記スピーカユニット側の端部には、前記音導出開口部から受容した音を前記外側筐体部から放出するための音放出開口部が形成されていることを特徴とする請求項１乃至請求項３のいずれかに記載のスピーカシステム。
【発明の詳細な説明】
【技術分野】
【０００１】
本発明は、音響機器等に用いるスピーカシステムに関するものである。
【背景技術】
【０００２】
従来より、スピーカユニットをエンクロージャに取り付ける際には、ネジなどにより螺設されているが、この際に、エンクロージャに隙間無く密着するように螺設されていると、スピーカユニットから音を発生する際の振動により、エンクロージャ等も振動して、スピーカシステムが機械的共振をすることにより、音にゆがみが生じ、音の品質を低下させることが知られている。
このため、この機械的共振を低減させる様々な方法が用いられており、例えば、この機械的共振を低減して、低音域の拡張化、低歪み化を図るため、エンクロージャとエンクロージャの前面のバッフル板の開口部に取り付けられるスピーカユニットを、外周部後面とバッフル板の間に隙間が形成されるように、スペーサを介してバッフル板に取り付けられているスピーカユニットが開示されている（例えば、特許文献１）。
【特許文献１】特許第３４２１５５８号公報（図１等）
【発明の開示】
【発明が解決しようとする課題】
【０００３】
しかし、単にバッフル板とスピーカユニットの間に隙間を設けて取り付けるだけでは、スピーカユニットから音を発生する際の振動が、経年変化によって大きく異なったり、また隙間を設ける代わりに緩衝素材を使用した場合には、その緩衝素材の位置を調整して、設置位置を厳密に調整したりしない限り、その緩衝効果が失われてしまうという理由により上手く低減できず、音の歪みが生じてしまうという問題がある。
また、特許文献１のようなスピーカシステムでは、スペーサを介しているので、スペーサ大きさや材質のバラ付きにより、ネジを同じように螺設して取り付けしても、スピーカユニットとバッフル板の間の隙間にバラつきが生じ易く、そのバラつきによって、音の歪みに影響を与えることとなる。また、例えば、このばらつきをネジの締め付けトルクにより、低減しようとすると、バッフル板やスピーカユニットに負荷がかかり、経年変化によって大きく異なったり、また隙間を設ける代わりに緩衝素材を使用した場合には、その緩衝素材の位置を調整して、設置位置を厳密に調整したりしない限り、その緩衝効果が失われてしまうため好ましくない。
そこで、例えば、スピーカユニットをバッフル板等に取り付ける際に、スペーサを使用せずネジの締め付けトルクによって、スピーカユニットとバッフル板の間に、微小な隙間を形成する方法も考えられるが、この方法であると、スピーカユニットの振動により、経時と共に、ネジ子が緩んできてしまい、却って音が割れてしまい、高品質な音を保てないという問題がある。また、ネジの締め付けトルクに隙間を調整する方法は、作業者の熟練度が必要であり、簡単に調整することができないため、一旦、緩みすぎてしまうと再調整が困難であるという問題もあった。
【０００４】
そこで、本発明は、スピーカユニットをエンクロージャやバッフル板等の筐体部に取り付ける際に、スピーカユニット等に過度のストレスを与えることなく、音の歪みが低減できるスピーカシステムを提供することを目的とする。
【課題を解決するための手段】
【０００５】
前記課題は、請求項１の発明によれば、スピーカユニットと、開口部を設けられた筐体部と、前記開口部に前記スピーカユニットが配置され前記筐体部に固定される際に、前記スピーカユニットと前記筐体部との間に空間を有するように空間部が設けられた固定部と、を有し、前記空間部には、しりぞけあう磁力が働くように複数の磁力発生部が配置されており、前記スピーカユニットから音を外部に発する際の振動が前記空間部により調整されるように前記スピーカユニットが前記筐体部に固定されていること、を特徴とするスピーカシステムにより達成される。
【０００６】
前記構成によれば、スピーカユニットは、筐体部の開口部に取り付けられる際に、スピーカユニットと筐体部との間に空間を有するように空間部が設けられた固定部により固定されるようになっている。そして、この空間部には、しりぞけあう磁力が働くような複数の磁力発生部が配置され、スピーカユニットから音を外部に発する際の振動が空間部により調整されるようになっている。このため、スピーカユニットと筐体部との固定は確実にされるが、スピーカユニットに過度のストレスを与えることが無い。
しかも、固定部には空間部が設けられており、その空間部には、しりぞけあう磁力が働くような複数の磁力発生部を配置しているので、単に空間を設ける場合と異なり、このしりぞけあう磁力がスピーカユニットから発する音の振動に対しての緩衝効果を促し、また、緩衝効果が経年により、変化することが無いので、スピーカユニットから発する音の歪みが低減できるようになっている。
【０００７】
つまり、固定部に設けられた空間部には、反発しあう磁力が働いている。このため、スピーカユニットと筐体部の固定はしっかりとされているにも係らず、固定する力がスピーカユニットに過度に係らないように、その空間部により緩衝されている。そして、このような構成により、音に膨らみがでることにより、音に深みがでることとなる。
【０００８】
好ましくは、請求項２の発明によれば、請求項１の構成において、前記スピーカユニットは、前記スピーカユニットから音を外部に発生する方向に設けられた音発生部と前記音発生部の外周部に設けられたフランジ部と前記音発生部と反対方向に設けられた背面部とを有し、複数の前記磁力発生部のうち少なくとも１つの前記磁力発生部は、前記背面部に設けられたスピーカユニット背面側磁力発生配置部に配置され、複数の前記磁力発生部のうち少なくとも１つの前記磁力発生部は、前記筐体部の前記開口部に対応する位置であって、前記筐体部の内側に設けられた筐体側磁力発生配置部に配置されるようになっていることを特徴とするスピーカシステムである。
【０００９】
前記構成によれば、スピーカユニットの音発生部と反対方向に設けられた背面部に設けられたスピーカユニット背面側磁力発生配置部に配置された複数の磁力発生部のうち少なくとも１つの前記磁力発生部が配置されている。そして、筐体部の開口部に対応する位置であり、筐体部の内側に設けられた筐体側磁力発生部に配置された複数の磁力発生部のうち少なくとも１つの前記磁力発生部が配置されている。
また、スピーカユニット背面側磁力発生配置部と筐体側磁力発生部とにそれぞれ配置されている磁力発生部とが互いにしりぞけあう磁力が働くように空間部に配置され、スピーカユニットは筐体部の開口部に配置されて固定されているようになっている。このため、スピーカユニットから音を外部に発生する際の振動は適度に抑えられので、大きな音などの際に、筐体部等が無駄な振動をすることによる音の割れなどの現象を低減することができ、また音の分解能も良好となる。
【００１０】
そして、互いにしりぞけあう磁力が働くように空間部に配置されて、スピーカユニットは筐体部の開口部に配置されて固定されているようになっているので、スピーカユニットからの音の割れなどは防止しつつ、音の分解能が良好となり、より高品質な音を提供することができるようになっている。
【００１１】
好ましくは、請求項３の発明によれば、請求項１または請求項２の構成において、前記スピーカユニットは、前記スピーカユニットから音を外部に発生する方向に設けられた音発生部と、前記音発生部の外周部に設けられたフランジ部と、を有し、複数の前記磁力発生部のうち少なくとも１つの前記磁力発生部は、前記フランジ部の近傍に配置されるように磁力発生配置部に配置され、複数の前記磁力発生部のうち少なくとも１つの前記磁力発生部は、前記開口部の近傍の前記筐体部側に配置されるように前記磁力発生配置部に配置されるようになっていることを特徴とするスピーカシステムである。
【００１２】
前記構成によれば、スピーカユニットの音を外部に発生する方向に設けた音発生部と、音発生部の外周部に設けられたフランジ部とを有するスピーカユニットのフランジ部の近傍となるように複数の磁力発生部のうち少なくとも１つの磁力発生部が磁力発生配置部に配置されている。そして、開口部の近傍の筐体側となるように磁力発生配置部に複数の磁力発生部のうち少なくとも１つの磁力発生部が磁力発生配置部に配置されている。このため、スピーカユニットは、筐体部の開口部に取り付けられる際に、磁力発生配置部に、それぞれ配置された磁力発生部がしりぞけあう磁力を発生するように配置され、スピーカユニットと筐体部との間に空間を有するようになっている。
【００１３】
そのため、スピーカユニットを音発生部の音を外部に発生する方向に押しつける方向と、逆にスピーカユニットを筐体部側に押し付ける方向の力が同時に働く。
このため、例えば、スピーカユニットをフランジ部に設けた孔にネジを通して筐体部に螺設して固定した際の固定部の固定強度が、スピーカユニットに対しては応力がかかり過ぎない程度とすることができる。このため、スピーカユニットに過度のストレスを与えることが無い。一方、ネジ等で固定する際の固定力は大きくすることができるので、経時によって、緩んでしまい、音の割れなども生じることがなく、高品質な音を保つことができるようになっている。
【００１４】
好ましくは、請求項４の発明によれば、請求項１乃至請求項３のいずれかの構成において、前記筐体部は、前記スピーカユニットを有する筒状の内側筐体部と、前記内側筐体部を覆うように配置される筒状の外側筐体部と、を有しており、前記スピーカユニットは、前記内側筐体部の長手方向における一方の端部側に配置され、前記内側筐体部の前記長手方向の他方の端部側には、前記スピーカユニットの音を前記外側筐体部に導出するための音導出開口部が形成され、前記外側筐体部の長手方向の前記スピーカユニット側の端部には、前記音導出開口部から受容した音を前記外側筐体部から放出するための音放出開口部が形成されていることを特徴とするスピーカシステムである。
【００１５】
前記構成によれば、スピーカユニットから発せられる低音域の音圧は、内側筐体部及び外側筐体部で共に高められる。特に、内側筐体部では、長手方向の一方の端部側にスピーカユニットが配置され、長手方向の他方の端部側に音導出開口部が形成されているので、スピーカユニットから発せられた音は、比較的長く形成されている内側筐体部の内部を伝播する。このため、スピーカユニットが発する低音部の音圧が高められる構成となっている。また、内側筐体部で、その音圧を高められた低音部は、外側筐体部と内側筐体部の間に形成される空間を、外側筐体部の長手方向に沿って伝播するため、外側筐体部と内側筐体部との間の空間においても、さらに、その音圧が高められる。
したがって、大きな筐体等を形成しなくても低音域の音圧を高めることができ、スピーカシステム全体を小型化することができる。
【００１６】
また、スピーカユニットから発せられた音は、上述のように、内側筐体部の内部空間をその長手方向に沿って、伝播し、その後、外側筐体部と内側筐体部との間の空間を長手方向に沿って伝播する構成となっているので、その間に反響音も起こすことができる構成ともなっている。
また、スピーカユニットから発せられた音が内側筐体部の内部を伝播するときは、その振動は内部筐体部を振動させるが、この振動は、スピーカユニットとこの内側筐体部および/又は外側筐体部との固定部の空間部に配置されて互いにしりぞけあう磁力が働くように配置されている複数の磁力発生部によって、低減される。さらに、外側筐体部とこの内側筐体部との間には空間が形成されており、空気層が存在する等ため、外側筐体部に伝わる振動がこの空気層により拡散、吸収されるので、振動が小さくなっている。このため、音が外側筐体部に吸収されることなく、外部に放出されるので音の拡散が効率的に行われるようになっている。
【００１７】
そして、このように、音の拡散を有効に行うことで、反響音とスピーカユニットから発せられた音に臨場感が出る構成となっている。
また、反発する磁力発生部を配置した空間部と２重に筐体部を配置してその筐体部間に空気層を配したため、余剰な振動による音の歪みも低減できよりよい音の分解能の実現でき、特に低音領域の音に臨場感を与えることができる。
【発明の効果】
【００１８】
本発明は、スピーカユニット等に過度のストレスを与えることなく、音の歪みが低減でき、より良い音を実現するスピーカシステムを提供できるという利点がある。
【発明を実施するための最良の形態】
【００１９】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２０】
（第１の実施の形態）
図１は、本発明の実施の形態にかかるスピーカシステム１を示す部分概略断面斜視図である。図２は、図１のスピーカシステム１の概略断面図である。
図１に示すように、スピーカシステム１は、その外側に円筒状の外部エンクロージャ１０を有している。この外部エンクロージャ１０は、例えば、紙筒等から成っている。
なお、本実施の形態では、外部エンクロージャ１０は、紙筒で成っているが、本発明では、これに限らず、木筒や陶器製の筒でもよい。
この外部エンクロージャ１０は、図１及び図２に示すように、図において横方向が長い円筒状となっており、その両端部、図において左端部及び右端部には、バッフル板１１が形成されている。
このバッフル板１１には、後述するスピーカユニット２１等及びダクト１５等から外部に音を発するための開口が形成され、具体的には、スピーカユニット２１等に対応したスピーカユニット音開口１１ａ及びダクト１５等に対応したダクト音開口１１ｂが、例えば、円形や楕円形等で形成されている。
【００２１】
また、この外部エンクロージャ１０の内側の両端部には、図１及び図２に示すように、それぞれ円筒状の内部エンクロージャ１２ａ、１２ｂが配置されている。そして、この両側の２つの内部エンクロージャ１２ａ、１２ｂの間には、図２に示すように、外部エンクロージャ１０の内部空間を２つに仕切るようにセンターパネル１３が形成されている。
すなわち、図２に示すように、外部エンクロージャ１０の内部空間は、センターパネル１３によって、図における左側と右側に分断させ、外部エンクロージャ１０は、２つの空間を有し、それぞれの空間に、内部エンクロージャ１２ａ、１２ｂが配置されている。
なお、内部エンクロージャ１２ａ等は、上述の外部エンクロージャ１０と同様の材質から形成されている。
【００２２】
また、上述したように外部エンクロージャ１０の両端部（図において左端部及び右端部）に形成されているバッフル板１１は、内部エンクロージャ１２ａ等の端部（図２に左側の内部エンクロージャ１２ａでは左端部、右側の内部エンクロージャ１２ｂでは右端部）に共通で形成される構成となっている。
そして、スピーカシステム１では、内部エンクロージャ１２ａ等のスピーカユニット２１は、外部エンクロージャ１０と内部エンクロージャ１２ａ等に共通するバッフル板１１に取り付けられている。
このスピーカユニット２１は、高音域乃至低音域の音を発生させる例えば、円錐（コーン）形の振動板を動かして音を出すコーン型のスピーカユニットであるが、これに限らず、ドーム型（ドーム形の振動板を動かして音を出すスピーカユニット）、ホーン型（ドーム型やリング型の振動板（ダイヤフラム）から出た音をフェイジングプラグやイコライザーで絞ってからホーン（ラッパ）に接続したスピーカユニット）若しくは、リボン型（リボン形の薄い振動板を持ったスピーカユニット）であってもよい。
【００２３】
また、スピーカユニット２１は、図１及び図２に示すように、スピーカユニット２１の背面側、つまり、スピーカユニット２１の音を外部に発する側と反対側の内部エンクロージャ１２ａ等に配置されている面に、磁石４ａが設けられ、内部エンクロージャ１２ａ等に配置されているインナーパネル１４には、磁石４ａと対抗するように磁石４ｂが配置されている。そして、磁石４ａと磁石４ｂとは、たがいに退けあう磁力を発するように配置されており、例えば、磁石４ａと磁石４ｂとが対抗している面側が、同じ極（Ｓ極とＳ極、あるいは、Ｎ極とＮ極）となっている。そして、磁石４ａ、４ｂは、互いに同程度の大きさであり、同程度の磁束密度を有する永久磁石となっており、例えば、フェライト、ネオジウム等が挙げられる。
磁石４ａと磁石４ｂが、このように配置去れているので、スピーカユニット２１が、バッフル板１１とインナーパネル１４の間に固定され、保持されるようになっている。
スピーカユニット２１は、このように磁石４ａと磁石４ｂのしりぞけ合う磁力により固定されている。このため、スピーカユニット２１は、バッフル板１１とインナーパネル１４との間に固定する際には、磁力により、空間を空けて空間部を形成しつつ固定することができ、スピーカユニット２１から音を外部に発生する際の振動が適度に抑えることができるような構成となっている。
【００２４】
そして、このインナーパネル１４は、内部エンクロージャ１２ａ等の断面形状とほぼ同様の円盤状を成しているが、同時に、貫通孔であるインナーパネル孔１８を、複数、例えば６個有している。このため、スピーカユニット２１から発せられる音のうち、裏面側（図３等の外部エンクロージャ１０の内部側）に伝わる音が、このインナーパネル１4で塞がれず、さらに内側に向かって伝播するような構成となっている。
【００２５】
また、この内部エンクロージャ１２ａ等のうち、スピーカユニット２１が配置された端部と反対側の端部（図２の左側の内部エンクロージャ１２ａの場合は右端部、右側の内部エンクロージャ１２ｂの場合は左端部）には、スピーカユニット２１の裏側から発せられた音を内部エンクロージャ１２ａ等にから、外部エンクロージャ１０に導出するための内部エンクロージャ開口７を有する構成となっている。
【００２６】
また、内部エンクロージャ１２ａ等は、図１及び図２に示すように、センターパネル１３に内部エンクロージャクッション材１７を介して配置されている。
そして、このような内部エンクロージャ１２ａ等を覆うようにして配置される外部エンクロージャ１０内には、図１及び図２に示すように、内部エンクロージャ１２ａ等と外部エンクロージャ１０との間に空間が形成され、その空間内にダクト１５等が配置されている。このダクト１５等は、スピーカユニット２１の背面側の音のうち、特に低音域の音圧を高めて、図１のダクト音開口１１ｂから外部へ音を放出する機能を発揮する構成も有している。
【００２７】
ここで、本実施形態のスピーカユニット２１の前面側は、音を外部に発生する方向に設けられた音発生部の一例となっている。そして、スピーカユニット２１の外周部のフランジ３は、音発生部の外周部に設けられたフランジ部の一例となっている。そして、スピーカユニット２１の背面側、つまり、スピーカユニット２１の音を外部に発する側と反対側の内部エンクロージャ１２ａ等に配置されている面は、音発生部と反対側に設けられた背面部の一例となっている。
そして、スピーカユニット２１の背面側に配置されている磁石４ａは、複数の磁力発生部のうちの１つの磁力発生部の一例となっており、スピーカユニット２１の背面側の磁石４ａの配置されている中央部付近は、スピーカユニット背面側磁力発生配置部の一例となっている。そして、インナーパネル１４に配置されている磁石４ｂは、複数の磁力発生部のうちの１つの磁力発生部の一例となっており、インナーパネル１４に配置されている磁石４ｂの位置は、バッフル板１１のスピーカユニット音開口１１ａに対応する位置であって、内部エンクロージャ１２ａ等の内側に設けられた筐体側磁力発生配置部の一例となっている。
ここで、バッフル板１１、外部エンクロージャ１０、内部エンクロージャ１２ａ、１２ｂ、インナーパネル１４等は、は、筐体部の一例となっている。
【００２８】
スピーカユニット音開口１１ａは、筐体部に設けられた開口部の一例となっている。そして、スピーカユニット２１をスピーカユニット音開口１１ａに配置して、バッフル板１１とインナーパネル１４の間に取り付ける際の磁石４ａと磁石４ｂの間の空間は、空間部が設けられた固定部の一例となっている。
本実施の形態におけるスピーカシステム１は、しりぞけあう磁力が働くように複数の磁力発生部の一例である磁石４ａ、４ｂが配置されている空間を有しており、スピーカユニット２１から音を外部に発する際の振動が、空間部の一例である磁石４ａと磁石４ｂの間の空間により調整されるようにスピーカユニット２１が筐体部の一例であるバッフル板１１に固定されているスピーカシステムの一例となっている。
【００２９】
また、本実施の形態の内部エンクロージャ１２ａ等は、内部筐体部の一例であり、外部エンクロージャ１０は、外側筐体部の一例である。そして、そして、外部エンクロージャ１０は、内部エンクロージャ１２ａ等を覆うように配置される構成となっている。
そして、スピーカユニット２１は、内部エンクロージャ１２ａ等の長手方向における一方端部側に配置され、内部エンクロージャ１２ａ等の長手方向の他方の端部側には、スピーカユニット２１の音を外部エンクロージャ１０側に導出する内部エンクロージャ開口７が形成されており、この内部エンクロージャ開口７は、音導出開口部の一例となっている。
【００３０】
また、図１及び図２に示すように、外部エンクロージャ１０の長手方向のスピーカユニット２１側の端部（外部エンクロージャ１０の両端部）には、ダクト音開口１１ｂがそれぞれ形成されている。このダクト音開口１１ｂからスピーカシステム１の外へ放出される音は、図２のスピーカユニット２１の音が、内部エンクロージャ１２ａ等の長手方向を伝播し、内部エンクロージャ開口７を介して、外部エンクロージャ１０内に達し、さらに、外部エンクロージャ１０内の長手方向を伝播し、音圧が高められた音である。したがって、ダクト音開口１１ｂは、音放出開口部の一例なっている。
【００３１】
また、ダクト１５等は、スピーカユニット２１から発せられた音のうち、低音域の音圧を高めるための、低音域ダクトの一例となっている。
そして、図２に示すように、本実施の形態のスピーカシステム１では、スピーカユニット２１をそれぞれ有する２つの内部エンクロージャ２０ａ、２０ｂが外部エンクロージャ１０内部に形成されたセンターパネル１３によって仕切られている。したがって、センターパネル１３は、仕切り部の一例となっている。
ここで、本実施の形態では、図２に示す、外部エンクロージャ１０のうち、センターパネル１３で仕切られた一方の空間の長手方向の長さである矢印Ｘの長さが、少なくとも、外部エンクロージャ１０の端部側の直径である矢印Ｙの長さの２倍以上に形成されている。
【００３２】
本実施の形態では、以上のように構成されているが、その作用等について以下説明する。
図２に示すように、スピーカシステム１は、その長手方向の両端部側にスピーカユニット２１をそれぞれ配置しているため、２つのスピーカユニット２１から表面側（図のスピーカシステム１の外部側）に発せられる音は、それぞれ正反対方向に放出される。したがって、これらのスピーカユニット２１から発せられた音は、広がりを持って拡散されることになる。
通常、このようにスピーカユニット２１を配置した場合は、そのスピーカユニット２１の背面側から発せられた音が、相互に干渉し合ってしまい、スピーカシステムの効率を低下させるが、本実施の形態では、センターパネル１３を配置しているため、そのような相互の音の干渉が生じるのを未然に防止している。
これにより、本実施の形態のように、２つのスピーカユニット２１の表面側が、それぞれ正反対の方向を向き、正反対の方向に音を発すると、音が広範囲に広がり、実際の演奏と同様のリアルな音場が形成される。
【００３３】
また、本実施の形態では、スピーカユニット２１の背面側から発せられる音については、インナーパネル１４のインナーパネル孔１８を貫通して、外部エンクロージャ１０の奥側へ伝播し、内部エンクロージャ１２ａ等の端部に配置されている内部エンクロージャ開口７から、外部エンクロージャ１０の内部空間へと導出される。そして、外部エンクロージャ１０の内部空間へと導出された音は、外部エンクロージャ１０の長手方向に沿って、図１のダクト音開口１１ｂへ向かって伝播する。このとき、内部エンクロージャ開口７から導出された音は、センターパネル１３によって、ダクト音開口１１ｂ側へ向かうように案内される。そして、ダクト音開口１１ｂ側へ伝播する音は、ダクト１５等を介した後、ダクト音開口１１ｂから放出されるようになっている。
このため、スピーカユニット２１の背面側の音は、内部エンクロージャ２０ａ等の長手方向に沿って伝播した後、外部エンクロージャ１０の長手方向に沿って伝播し、長い距離を伝播することとなり、この間に低音域の音圧が高められることになり、従来のダブルバスレフ方式のように、第２キャビティ等として大きな低音域の音圧を高める領域を大きく形成することなく、低音域の音圧を効果的に高めることができる。すなわち、本実施の形態では、スピーカシステム１の全体の大きさを大型化することなく、低音域の音圧を高めることができる。
【００３４】
また、本実施の形態では、スピーカユニット２１の背面側の音が長手方向に沿って内部エンクロージャ２０ａ等及び外部エンクロージャ１０の内部を伝播するため、その間に反響音が大きく生成される。
さらに、スピーカユニット２１の背面側の音が内部エンクロージャ２０ａ等の内部を伝播しているときは、その音の振動は、内部エンクロージャ２０ａ等を振動させることになる。しかし、この際に、スピーカユニット２１の固定が、磁石４ａと磁石４ｂにより形成される空間を持ってなされているので、例えば、スピーカユニット２１から大きな音を発した場合などに、バッフル板１１や、外部エンクロージャ１０、内部エンクロージャ１２ａ等に無駄な振動が伝わることが無い。そのため、音の割れなどの現象を低減することができ、音の分解能も良好とすることもできる。
【００３５】
これは、磁石４ａと磁石４ｂが、互いにしりぞけあう磁力が働くような方向に配置されているため、スピーカユニット２１から音を外部に発生される際の振動が、その互いにしりぞけあう磁力の働いている方向と同一の方向である場合には、この振動が増幅され、また逆に、互いにしりぞけあう磁力と異なる方向である場合には、この振動が低減されるように働くために、音の分解能が良好となるように空間部が作用するからであると考えられる。
つまり、磁石４ａと磁石４ｂによる空間部には、しりぞけあう磁力が働いて、スピーカユニット２１が、バッフル板１１のスピーカユニット音開口１１ａに配置されて固定されているようになっている。このため、音による振動のうちで、バッフル板１１や外部エンクロージャ１０や内部エンクロージャ１２ａ等を振動させる方向に働くような振動で、互いにしりぞけあう磁力の働く方向とは異なる振動である場合は、この空間部のずれにより吸収され低減される。従がって、スピーカユニット２１からの音の割れなどは防止しつつ、音の分解能が良好となり、より高品質な音を提供することができるようになっている。
【００３６】
このため、スピーカユニット２１の固定が確実になされているにもかかわらず、発する音が硬くなることがない。
つまり、例えば、スピーカユニット２１から発生されて、背面側に回る振動を抑えるために、スピーカユニット２１をバッフル板１１とインナーパネル１４との間に、硬い剛性のある棒状の芯材などで固定することも考えられる。しかし、このような硬い剛性のある棒状のような心棒で固定した場合には、スピーカユニット２１の振動が必要以上に制限され、そこから発せられる音には、柔らかさや膨らみがなく、硬い音になってしまうと考えられる。
【００３７】
しかし、本実施の形態のように、磁石４ａ、４ｂとの間に働く互いにしりぞけ合う磁力（反発磁力）によって、スピーカユニット２１が固定されているので、スピーカユニット２１の振動はある程度抑えることができようになっている。また、反発する磁力の中心からずれる場合には若干滑って中心部から外れるような力も働くと考えられるので、音の振動に合わせて振動を吸収することもできると考えられる。
従がって、音の質に影響を与えて歪みを起こすような筐体部への振動の伝達を極力抑えることが、できるようになっている。
このため、音の柔らかさや膨らみを損なうことがないものとなる。そして、スピーカユニット２１からの音による振動で、音の質を弾みのよい音とするような振動は、反発磁力によって強調されると考えられるので、音の分解能もより良くすることができることとなる。
【００３８】
そして、更に、内部エンクロージャ１２ａ等を覆うように配置されている外部エンクロージャ１０との間には、空間が設けられていることにより、空気層が存在するため、外部エンクロージャ１０は、更に、振動させ難い構成ともなっている。
このように、本実施の形態では、スピーカユニット２１から発せられた音が、外部エンクロージャ１０に吸収され難い構成となっているため、内部エンクロージャ１２ａ等で、音圧が高められた音は、外部エンクロージャ１０に吸収されにくい状態で、スピーカシステム１の外部に放出される、したがって、音の拡散が効率的に行われる。
以上の効率的な音の拡散と上述の大きな反響音、そして高められた低音等により、スピーカシステム１の音には、実際の演奏現場に存在しているような臨場感が生まれることになる。
【００３９】
特に、従来のスピーカシステムでは、音の拡散を効率的におこなわせるため、エンクロージャを振動し難い重くて硬い材質で形成していたため、スピーカシステムから発せられる音に、自然な柔らかさや響きを表現し難いという問題があった。
この点、本実施の形態では、スピーカユニット２１の固定を、磁石４ａ及び磁石４ｂの互いにしりぞけ合う磁力により、空間を設け、その空間にこれらの磁力が配置されており、あたかも、空気の棒のような、空気バネのような抵抗感を、スピーカユニット２１の背面側とインナーパネル１４の間に形成することにより固定している。そのため、固定はしっかりしつつも、必要以上に音による振動を抑制することがなく、質の良い音の実現のために適切な振動の増幅、減少を容易にすることができるので、弾みのよい、音の分解能の良い音を表現することが可能となる。
【００４０】
しかも、エンクロージャを２重にし、外側の外部エンクロージャ１０が内部エンクロージャ１２ａ等を覆うように配置されているため、エンクロージャに高い材質を用いることなく、音の拡散を効率的に行うことができ、スピーカシステム１から発せられる音に、自然な柔らかさや響きを表現することができる構成となっている。
また、エンクロージャが１個の従来のスピーカシステムでは、その内部で音が相殺され音の拡散という効果が薄れることになるが、本実施の形態では、エンクロージャを２重にし、外側の外部エンクロージャ１０が内部エンクロージャ１２ａ等を覆うように配置されているため、音が相殺されず、効率的に音を拡散することができる。
【００４１】
ところで、本実施の形態では、図１及び図２に示すように、ダクト１５等を有しているため、このダクト１５等により低音域の音圧がより高められる構成となっている。
また、本実施の形態では、図１及び図２に示すように、外部エンクロージャ１０の中央部にセンターパネル１３が形成されているので、その左右側に配置されている内部エンクロージャ１２ａ、１２ｂからの音が内部に止まらず、外部に押し出される。このため、スピーカシステム１から発せられる音は、聴取者にとって、音がスピーカから飛び出すように聞こえ、リアルな音場を形成することができる。
【００４２】
（第２の実施の形態）
図３は、本発明の第２の実施の形態にかかるスピーカシステム２０を示す概略斜視図である。図４は、図３のスピーカシステム２０の概略断面図であり、図３のＡＡ線での概略断面図となっている。そして、図５は、図３のスピーカシステム２０の一部拡大概略断面図であり、後述するように、スピーカユニット２１をフランジ３を介してバッフル板２４にネジ２２で螺設している部分の拡大断面図となっている。図６は、スピーカユニット２１の取り付けを説明するための一部概略斜視図となっている。第１の実施の形態と共通する構成については、同一符号を付して、説明を省略し、異なる点を中心に説明する。
【００４３】
図３に示すように、本実施の形態のスピーカシステム２０は、第１の実施の形態のスピーカシステムと異なり、略箱体状のエンクロージャ１００と、その前面に設けられたバッフル板２４と、このバッフル板２４の中央よりやや上部側に設けられた開口部２７とを有している。そして、スピーカシステム２０は、スピーカユニット２１は、１つであって、エンクロージャ１００は二重となっていない点は、第１の実施の形態と異なる。
また、スピーカシステム２０は、スピーカユニット２１の背面側とエンクロージャ１００の開口部２７を設けている面と対抗する面に磁石を設けて、スピーカユニット２１を配置しているのではなく、開口部２７にフランジ３を介して４つのネジ２２によりスピーカユニット２１を螺設しており、そのフランジ３の近傍に磁石が設けられている点が異なる。
この開口部２７は、スピーカユニット２１の外形形状と略合うように形成されており、例えば、円形や楕円形の形状となっている。また、フランジ３は、スピーカユニット２１の外形形状と略沿うような形状となっており、スピーカユニット２１の外周部に設けられている。
【００４４】
このスピーカユニット２１は、第１の実施の形態と同様である。そして、エンクロージャ１００は、例えば、紙製箱や、木製箱、陶器製の箱片等で形成されており、バッフル板も同様な材質で形成されていてもよい。
そして、ここでは、スピーカユニッ２１の外周部に設けられているフランジ３には、後述するように磁石６ａを一体として設けておらず、磁石配置孔５に配置する構成としているが、例えば、磁石６ａを接着剤などで予め貼り付けられるよう構成としてもよい。
【００４５】
そして、図４及び図５等に示すように、スピーカユニット２１は、フランジ３を介して、バッフル板２４にネジ２２で螺設されており、スピーカユニット２１は、バッフル板２４との間に若干隙間を形成するように調整されている。
スピーカユニット２１をバッフル板２４に取り付ける際に、スピーカユニット２１が、音を発した際に余分に振動して、音が歪まないように、しっかりと固定することが必要であるが、固定力が強すぎると、スピーカユニット２１から音を発生する際の振動により、エンクロージャ１００等も振動して、スピーカシステム２０が機械的共振をすることにより、音にゆがみが生じ、音の品質を低下させてしまうため、機械的振動を抑えつつ、固定力を維持するため、ネジ２２の取り付けトルク等を調整し、スピーカユニット２１とバッフル板２４との間に、若干の隙間を空けて螺設されていた。しかし、このような方法であると、経年と共に、ネジ２２が緩んで、固定力が確保できなくなってしまう。
【００４６】
そのため、図４及び図５等で示すように、本発明のスピーカシステム２０のスピーカユニット２１は、ネジ２２でバッフル板２４に取り付ける際に若干の隙間を形成して取り付けられているが、この隙間には、磁力が発生している。つまり、バッフル板２４に磁石設置孔５を設け、この磁石設置孔５に磁石６ｂを配置し、この磁石６ｂと対抗するように磁石６ａを配置し、磁石６ａと磁石６ｂが、互いに反発するように、つまり、しりぞけ合う磁力が働くようにされている。
そして、スピーカユニット２１は、フランジ３、磁石６ａ、磁石６ｂを介して、バッフル板２４に取り付けられている（図６参照）。
このため、この取り付ける際のネジ２２の固定は、トルクが充分にかかるように螺設しても、磁石６ａと磁石６ｂとは、しりぞけ合うような磁力が働くように配置されているので、ある程度の間隙となると、磁石６ａと磁石６ｂは、それ以上は近づかないようになり、スピーカユニット２１は、若干の隙間を形成するように、バッフル板２４に取り付けられるようになっている。
そして、ネジ２２の取り付けトルクが充分なように、しっかり固定できるので、経年により、ネジ２２が緩んで、スピーカユニ２１の固定力が弱まることが無いので、スピーカユニット２１からの音は、経年により変化することがないものとなる。
【００４７】
ここで、図６に示すように、磁石６ａと磁石６ｂは、例えば形状は中央部にネジ２２が挿通するための孔であるネジ挿通孔８ａ、８ｂの空いた略円柱状の外形、つまり略円環状の形状となっている。そして、これらの磁石６ａ、６ｂは、同程度の大きさを有しており、その磁束密度も同程度の強さを持つ永久磁石となっており、例えば、フェライト、ネオジウム等が挙げられる。
また、バッフル板２４の開口部２７の近傍には、例えば、４箇所、磁石設置孔５が設けられており、この磁石設置孔５の内径寸法と、磁石６ａ及び磁石６ｂの外径寸法は、磁石設置孔５の内径寸法が若干大きいものの、ほぼ同寸法となるように設けられている。
そして、この磁石設置孔５に磁石６ｂが収容され、収容された磁石６ｂに対抗するように磁石６ａをフランジ３の孔３ａからネジ２２を挿通し、そのネジ２２が、磁石６ａ、６ｂのネジ挿通孔８ａ、８ｂを通って、バッフル板２４まで達すると、磁石６ａと磁石６ｂが間隙を空けて設置されるようになる。
ここで、ネジ２２の材質は、磁石６ａ、６ｂの磁力の影響を受けない非強磁性の材質が好ましく、例えば、アルミニウム、銅、クロム、マンガン等の金属や、真鍮やステンレス（Ｆｅ−Ｎｉ−Ｃｒで、ニッケルが８％以上のもの）等の合金、プラスチックなどが挙げられる。
【００４８】
外周部のフランジ３には、等間隔となるように数箇所（例えば４箇所）孔３ａが設けられている。そして、この孔３ａからネジ２２を挿通して、ネジ２２がバッフル板２４の磁石設置孔５に配置された略円環状の磁石６ａ、６ｂのネジ孔挿通孔８ａ、８ｂを通して、バッフル板２４に螺設され、スピーカユニット２１が固定される。そして、磁石６ａ、磁石６ｂは、互いにしりぞけ合うように配置されているので、スピーカユニット２１がネジ２２で固定されると、磁石設置孔５では、少し間隙が空くようになる。
このため、スピーカユニット２１から音を発した際の振動が、バッフル板２４に過剰に伝わることが無く、また、ネジ２２の固定力がしっかりしているので、スピーカユニット２１が必要以上に振動し、音に歪みが発生することを低減できるようになっている。
しかも、この間隙は、磁石６ａ、６ｂの反発力によって保たれており、また、ネジ２２での固定力も大きいため、経時により、ネジ２２が緩んで間隙が広がることを低減できるので、音割れなども起こりにくくなっている。また、仮に、ネジ２２が緩んでも、ネジ２２の締め付けトルクの調整等をする必要もなく、磁石６ａ、６ｂのしりぞけ合う磁力の働きによって、間隙は一定となるので、また、基の音質を容易に再現することも可能となる。
【００４９】
そして、磁石６ａと磁石６ｂの互いにしりぞけ合う磁力の働きは、スピーカユニット２１は、音を外部に発生する際の方向の働く力と、この力とは逆にスピーカユニット２１をバッフル板に押し付ける方向に働く力とが同時に働くようになっている。
このため、例えば、スピーカユニット２１の外周部のフランジ３に設けた孔３ａにネジ２２を通してバッフル板２４に螺設して固定した際の固定力が、スピーカユニット２１に対して応力がかかり過ぎない程度とすることができる。このため、スピーカユニット２１に過度のストレスを与えることも無いようになっている。
【００５０】
このように、第２の実施形態のスピーカシステムのスピーカユニット２１は、スピーカユニット２１から音を外部に発生する方向に設けられたスピーカユニット２１の前面側（音発生部）と、スピーカユニット２１の前面側（音発生部）の外周部に設けられたフランジ３（フランジ部）と、を有し、磁石６ａ、６ｂ等（複数の磁力発生部）のうち少なくとも１つの磁石６ａ（磁力発生部）は、フランジ３フランジ部の近傍に配置されるように磁石設置孔５（磁力発生配置部）に配置され、複数の磁石６ａ、６ｂ等（前記磁力発生部）のうち少なくとも１つの磁石６ｂ（磁力発生部）は、開口部２７の近傍のバッフル板２４（筐体部）側に配置されるように磁石設置孔５（磁力発生配置部）に配置されるようになっている。
【００５１】
ここで、筐体部は、バッフル板２４及びエンクロージャ１００を含む概念となっており、スピーカユニット２１の前面側は、音外部に発生する際の音発生部となっている。
そして、スピーカユニット２１の外周部のフランジ３は、音発生部の外周部に設けられたフランジ部３となっている。バッフル板２４に設けられたスピーカユニット２１を設置するための開口部２７は、筐体部に設けられた開口部となっている。
また、磁石６ａ、６ｂ、磁石設置孔５、と磁石６ａ、６ｂのネジ挿通孔８ａ、８ｂ、フランジ３の孔３ａ及び、ネジ２２は、スピーカユニット２１をバッフル板２４に空間（間隙）を設けて固定している、ネジ２２の取り付け箇所は、スピーカユニットと筐体部との間に空間を有するように空間部が設けられた固定部となっている。
そして、空間部である間隙は、しりぞけ合う磁力が働くように磁力発生部の一例である磁石６ａ、６ｂが配置されるようになっている。
そして、スピーカユニット２１から音を外部に発生する際の振動は、この間隙により調整されるようになっている。
【００５２】
図３では、バッフル板２４には、スピーカユニット２１を取り付けるための、開口部２７が設けられているのみであるが、これに限らず、バッフル板２４にバスレフポートのためのダクトを設けたり、バスレフのための低音放射穴を設けたりして、最低音域をとることができるような構成としてもよい。
【００５３】
（第２の実施の形態の変形例）
図７及び図８のスピーカシステム２０ａは、第２の実施の形態のスピーカシステム２０と異なる点は、スピーカユニット２１をバッフル板２４に取り付ける際の固定部の構成である。つまり、第１の実施の形態の固定部である、磁石６ａ、６ｂ、磁石設置孔５、と磁石６ａ、６ｂのネジ挿通孔８ａ、８ｂ、フランジ３の孔３ａ及び、ネジ２２は、スピーカユニット２１をバッフル板２４に空間（間隙）を設けて固定の変形例であり、図５及び図６は、この固定部の変形例を説明するための概略断面図と、一部拡大概略断面図となっている。
本実施形態のスピーカシステム２０ａは、第１及び第２の実施の形態と同一符号を付した部分は、同様であるので、説明を省略し、ここでは、異なる点を中心に説明する。
【００５４】
すなわち、スピーカユニット２１をバッフル板２４にネジ２２で取り付ける際の磁石１６ａ、１６ｂの位置及び、磁石１６ａ、１６ｂの形状と、ネジ２２の取り付け部が異なる点である。
第２の実施の形態では、磁石６ａ、６ｂは、略円環状であり、中芯部にネジ挿通孔８ａ、８ｂを設けていたが、ここでは、ネジ２２の挿通孔２ａと磁石１６ａ、１６ｂの磁石設置孔１５は、別に設けている。つまり、ここでの磁石１６ａ、１６ｂは、その中心部にネジ２２を挿通するための孔を有していない。
そして、磁石設置孔１５には、磁石１６ａと磁石１６ｂを互いにしりぞけ合う磁力が働くように配置し、フランジ３の外周部に係るように磁石設置孔１５を設けている。
【００５５】
そして、ネジ２２を挿通して、スピーカユニット２１をバッフル板に取り付けるためのネジ挿通孔２ａは、フランジ３に設けられている孔３ａと一致するようにバッフル板２４に設けられている。そして、この孔３ａからネジ２２を挿通し、ネジ挿通孔２ａにネジ２２を螺設して取り付ける。この際、磁石設置孔１５には、磁石１６ａと磁石１６ｂが、互いに退け合う磁力となるように配置されており、磁石１６ａと磁石１６ｂは、ある一定の間隔を空けて、それ以上近づくことが無い。
そのため、スピーカユニット２１をバッフル板２４に取り付けると、磁石設置孔１５では、磁石１６ａ、１６ｂの間に少し間隙を空けてスピーカユニット２１が、固定できるようになっている。
従がって、スピーカユニット２１から音を発した際の振動が、バッフル板２４に過剰に伝わることが無い。また、ネジ２２の固定力は、しっかりとすることができるので、スピーカユニット２１が必要以上に振動し、音に歪みが発生することを低減できるようになっている。
【００５６】
しかも、この間隙は、磁石１６ａ、１６ｂの反発力によって保たれており、また、ネジ２２での固定力も大きいため、経時により、ネジ２２が緩んで間隙が広がることを低減できるので、音割れなども起こりにくくなっている。
ｂまた、仮に、ネジ２２が緩んでも、ネジ２２の締め付けトルクの調整等をする必要もなく、磁石６ａ、６ｂのしりぞけ合う磁力の働きによって、間隙は一定となるので、また、基の音質を容易に再現することも可能となる。
【００５７】
そして、磁石１６ａと磁石１６ｂの互いにしりぞけ合う磁力の働きは、スピーカユニット２１は、音を外部に発生する際の方向の働く力と、この力とは逆にスピーカユニット２１をバッフル板に押し付ける方向に働く力とが同時に働くようになっている。
このため、例えば、スピーカユニット２１の外周部のフランジ３に設けた孔３ａにネジ２２を通してバッフル板２４に螺設して固定した際の固定力が、スピーカユニット２１に対して応力がかかり過ぎない程度とすることができる。このため、スピーカユニット２１に過度のストレスを与えることも無いようになっている。
このように、第２の実施の形態と同様な効果を発揮することができる。
【００５８】
さらに、この実施形態の場合には、磁石１６ａ、１６ｂの中心部をネジ２２が通らないので、ネジ２２の材質は自由に選定することが可能となる。
また、磁石１６ａ、１６ｂも、磁石の強さが同じとなるように選定すればよいので、形状を略円環状に限ることなく、略円盤状、略円柱状、略角柱状など様々な形状を使用することも可能である。その他の構成は、第２の実施の形態で説明したのと同様である。
【００５９】
（第３の実施の形態）
図９は、本発明の第３の実施の形態に係るスピーカシステム３０を示す一部概略断面図である。
本実施形態に係るスピーカシステム３０の多くの構成は、上述の第１の実施の形態に係るスピーカシステム１の構成と同様であるため、同様の構成は同一符号等として、説明を省略し、以下、相違点を中心に説明する。
本実施の形態は、第１の実施の形態に係るスピーカシステム１と基本的構成は同様である。すなわち、外部エンクロージャ１０と、内部エンクロージャ１２ａ、１２ｂとを有し、外部エンクロージャ１０は、図示しないセンターパネル１３で左右に分かれており、内部エンクロージャ１２ａ、１２ｂがそれぞれ、外部エンクロージャ１０のセンターパネル１３で分離された左右領域に配置されている。
【００６０】
そして、内部エンクロージャ1２ａ、１２ｂの内部にインナーパネル１４が配置されている点、インナーパネル１４には、インナーパネル孔１８が形成されており、スピーカユニット２１からの音で、内部エンクロージャ１２ａ等の背面側に回る音が、インナーパネル孔１８を通り抜けるなどの構成は、第１の実施形態と同様である。また、更にその音が内部エンクロージャ開口７を通り、外部エンクロージャ１０に入り、センターパネル１３で方向を変えられ外部エンクロージャ１０の長手方向を伝搬して、内部エンクロージャ１２ａ等と外部エンクロージャ１０の間の空間のダクト１５を通り、ダクト音開口１１ｂから放出されるなどの構成も、一部図示していないものの、第１の実施形態と同様である。
また、スピーカユニット２１の背面側と、インナーパネル１４には、それぞれ磁石４ａ、４ｂが互いにしりぞけ合う磁力を発生するように配置されている点も同様である。
また、バッフル板１１には、ダクト音開口１１ｂが形成されており、このダクト音開口１１ｂはダクト１５と繋がっている。これらの点も、第１の実施の形態と同様である。
【００６１】
第３の実施の形態では、スピーカユニット２１の固定を磁石４ａと磁石４ｂで行う構成を有すると共に、第２の実施の形態で説明した構成を備えていることである。
つまりスピーカユニット２１は、外周部のフランジ３の孔３ａにネジ２２を挿通し、バッフル板１１に設けられている磁石設置孔５の磁石６ａ、６ｂのネジ挿通孔８ａ、８ｂを通って、固定されている構成を有している。これらの構成は、第２の実施の形態で説明した構成と同様な構成であるので、同一符号を付しており、詳細な説明は、上述のとおりであるので、省略する。
つまり、第３の実施の形態は、その基本構成は第１の実施の形態と同様とし、更に、第２の実施の形態のうち、空間部を有する固定部であるスピーカユニット２１をバッフル板に取り付ける際の磁石設置孔５、磁石６ａと磁石６ｂ等の構成を採用している点にある。
このような、構成を有することにより、第１の実施の形態での効果と、第２の実施形態での効果に加え、スピーカユニット２１の音をより、高品質なものとすることが可能となる。
なお、本発明は、上述の実施の形態に限定されない。
【図面の簡単な説明】
【００６２】
【図１】本発明の第１の実施の形態に係るスピーカシステムを示す一部概略部分端面図である。
【図２】図１のスピーカシステムの概略断面図である。
【図３】本発明の第２の実施の形態にかかるスピーカシステムを示す概略斜視図である。
【図４】図３のスピーカシステムの概略断面図である。
【図５】図３のスピーカシステムの一部概略拡大断面図である。
【図６】図３のスピーカシステムの取り付け状態を説明するための一部概略斜視図である。
【図７】本発明の第２の実施の形態に係るスピーカシステムの変形例を示す概略断面図である。
【図８】図７のスピーカシステムの一部概略拡大断面図である。
【図９】本発明の第３の実施の形態に係るスピーカシステムを示す一部概略部分断面図である。
【符号の説明】
【００６３】
１、１ａ、２０、３０・・・スピーカシステム、３・・・フランジ、１０・・・外部エンクロージャ、１１、２４・・・バッフル板、１２ａ、１２ｂ・・・内部エンクロージャ、１３・・・センターパネル、１４・・・インナーパネル、５、１５・・・磁石設置孔、４ａ、４ｂ、６ａ、６ｂ、１６ａ、１６ｂ・・・磁石、２１・・・スピーカユニット、７・・・内部エンクロージャ開口、１７・・・内部エンクロージャクッション材、１８・・・インナーパネル孔、１５・・・ダクト、２２・・・ネジ、２７・・・開口部、１００・・・エンクロージャ
【図１】
2009177454.tif 000003
【図２】
2009177454.tif 000004
【図３】
2009177454.tif 000005
【図４】
2009177454.tif 000006
【図５】
2009177454.tif 000007
【図６】
2009177454.tif 000008
【図７】
2009177454.tif 000009
【図８】
2009177454.tif 000010
【図９】
2009177454.tif 000011